(57)【要約】      （修正有）【課題】乾燥剤の含有率が高くても機械的強度が強く、しかも防湿樹脂層や通気性樹脂層等への接着性が良好であって、かつ乾燥剤や脱酸素剤としての水蒸気及び酸素吸着性能の吸湿力、吸放湿力の調整や同時に酸化を防ぐ事が容易である水蒸気及び酸素吸着性容器を提供する。【解決手段】ベース材１としての樹脂に、シリカ粉体２を含ませたことを特徴とする水蒸気及び酸素吸着性容器。又は、水蒸気及び酸素吸着性樹脂層Ｃに有機アミン紛体３を含ませたことを特徴とする水蒸気及び酸素吸着性容器。【選択図】図４
0003190178.tif 000002
【実用新案登録請求の範囲】
【請求項１】
ベース材１としての樹脂に、シリカ粉体２を含ませたことを特徴とする水蒸気及び酸素吸着性容器。
【請求項２】
ベース材１としての樹脂に有機アミン紛体３を含ませたことを特徴とする請求項１記載の水蒸気及び酸素吸着性容器。
【請求項３】
水蒸気及び酸素吸着性樹脂層Ｃの全体重量に対して、シリカ粉体２を３０％〜６０％、有機アミン紛体３を２５％〜４０％を含有させたことを特徴とする請求項１又は請求項２に記載の水蒸気及び酸素吸着性容器。
【請求項４】
請求項１又は請求項３の水蒸気及び酸素吸着性樹脂層Ｃに、薬剤４に触れる側とは異なる側に、湿気が入らないように防湿樹脂層Ａを、成形時に同時に溶融しはりあわせたことを特徴とする水蒸気及び酸素吸着性容器。
【請求項５】
請求項１から４のいずれかに記載の水蒸気及び酸素吸着性容器の薬剤４に触れる側とは異なる側に、湿気や酸素が入らないように防湿樹脂層Ａ、薬剤４に触れる側に、薬剤４の湿気を、水蒸気及び酸素吸着性樹脂層Ｃが吸収できるように通気性樹脂層Ｂを成形時に同時に溶融しはりあわせたことを特徴とする水蒸気及び酸素吸着性容器。
【請求項６】
通気性樹脂層Ｂの厚さは、防湿樹脂層Ａの厚さより薄くしたことを特徴とする請求項５に記載の水蒸気及び酸素吸着性容器。
【考案の詳細な説明】
【技術分野】
【０００１】本発明は、乾燥剤として利用できる水蒸気及び酸素吸着層、或いは水蒸気及び酸素吸着層を防湿樹脂層の外装プラスチック樹脂層に積層した水蒸気及び酸素吸着性容器として色々な形状を積層して、食料品、医薬品等の包装体或いは包装材料として利用することができる水蒸気及び酸素吸着性容器に関するものである。
【背景技術】
【０００２】医薬品は、タブレットタイプや粉末タイプのものに限らず、空気中の水分に触れたり水分を吸収したりすると、その初期の形状や性状、性能などが維持されなくなってしまう。
キャンディなどの食品についても、タブレットタイプや粉末タイプに限らず、同様のことが云える。空気中の酸素や空気中の水蒸気の影響から遮断して保管ないし保存することが要求されるものが多くある。【０００３】従来、プラスチックフィルムを用いた袋やトレーさらにボトル容器といった医薬品や食品といった湿気や酸素を嫌う内容物を収容しておくときには、たとえば和紙などの有孔シート材で作った袋にシリカゲル粒や生石灰や脱酸素剤などを封入したもの（乾燥剤入り袋）や脱酸素剤を、内容物と共にプラスチック袋やトレーやボトル容器に収容させている。【０００４】また、乾燥剤含有樹脂を薄くした乾燥剤フィルムでは、吸湿、放湿量を増大させようとして乾燥剤を樹脂に多量に混合したとすると、乾燥剤フィルムの表面粗さが大きくなり、この乾燥剤フィルムの表面に他のフィルムを接着する際の接着性が悪くなるという問題があった。【０００５】また、乾燥剤フィルムを積層した包装材料による包装袋或いは包装体では、湿気を嫌う内容物を長期間に渡って保護できるものが望ましく、乾燥剤フィルムの厚みの調整や内容物に応じた吸湿、放湿が容易に調整できることが望ましい。なお、このような内容物としては、食品、医薬品、電子部品、電子ディバイス、電子機器等が含まれる。本発明は、上述のような課題に鑑みなされたものであって、乾燥剤の含有率が高くても機械的強度が強く、しかも外装フィルム等への接着性が良好であって、かつ乾燥剤としての吸湿、放湿性能の調整が容易である水蒸気及び酸素吸着性容器を目的とするものである。【０００６】また、乾燥剤や脱酸素剤を袋へ封入した際に、お年寄りや子供が間違えて誤飲誤食も発生しているため乾燥樹脂内袋やトレー容器によって形成し、乾燥樹脂内袋やトレー容器が発揮する吸湿性によって内容物が湿ったり、腐ることを防ぐようにしたプラスチック容器も知られている。
【先行技術文献】
【特許文献】
【０００７】
【特許文献１】特開２００７−２６９３６７公報
【特許文献２】特許公開２００６−２８９１９８公報
【特許文献３】  特許公開２００８−１６４４４１公報
【特許文献４】登録実用新案第３０４５０６７号公報
【考案の概要】
【考案が解決しようとする課題】
【０００８】しかしながら、乾燥剤や脱酸素剤入り袋を内容物と共にプラスチック袋に収容させておくという手段には、製造者にとっては、プラスチック袋やトレーさらにボトル容器に乾燥剤や脱酸素剤入り袋を投入する手間や乾燥剤入り袋などを検品する手間などが余分に必要になるという問題がある。ユーザにとっては、乾燥剤入り袋や脱酸素剤入り袋に入っている乾燥剤や脱酸素剤などを誤飲・誤食するおそれがあるという問題があるほか、乾燥剤入り袋や脱酸素剤入り袋自体が空のプラスチック袋やトレーやボトル容器とは別に個別にごみとして捨てられるためにゴミ量低減化の動きにも反するという問題がある。【０００９】一方、特許文献３によって提案されているプラスチックフィルムやシートでは、包装材本体の乾燥樹脂内フィルムを用いた容器や袋の表面が、内容物を収容する内部空間に露呈しているため、プラスチックフィルムを用いた袋やトレーに収容した内容物が乾燥樹脂内フィルムの表面に接触するという問題がある。【００１０】ところが、プラスチック袋やトレーに収容した内容物が、そのプラスチックフィルムの乾燥剤フィルムの表面に直接接触することは、内容物が人間の口に入る経口タイプの医薬品や食品などの経口物である場合には特に好ましくない。すなわち、乾燥剤をベース樹脂に分散混合させて成形されている乾燥剤フィルムは、それに含まれる乾燥剤成分が、経時によりベース樹脂表面にでてくるので、そのまま人間の口に入ってしまった場合によっては健康を害するといったことなどの、予期し得ない好ましくない状況を引き起こしてしまうというおそれがある。【００１１】本考案は以上の問題や状況に鑑みてなされたものであり、上記した乾燥剤や脱酸素剤などの入った袋を用いる場合の問題を解消することができるだけでなく、特許文献３によって提案されているプラスチック容器や袋によって発現するところの、内容物が乾燥剤成分に接触するおそれがあるという状況を改善することのできる吸湿性、吸放湿性容器を提供することを目的とする。
【課題を解決するための手段】
【００１２】ベース材１としての樹脂に、シリカ粉体２を含ませたことを特徴とする水蒸気及び酸素吸着性容器。【００１３】ベース材１としての樹脂に有機アミン紛体３を含ませたことを特徴とする水蒸気及び酸素吸着性容器。【００１４】水蒸気及び酸素吸着性樹脂層Ｃの全体重量に対して、シリカ粉体２を３０％〜６０％を含有させたことを特徴とする記載の水蒸気及び酸素吸着性容器。【００１５】水蒸気及び酸素吸着性樹脂層Ｃに、薬剤４や食品に触れる側とは異なる側に、酸素や湿気が入らないように防湿樹脂層Ａを、成形加工時に同時に溶融成形し、はりあわせたことを特徴とする水蒸気及び酸素吸着性容器。【００１６】水蒸気及び酸素吸着性樹脂層Ｃの薬剤４や食品に触れる側とは異なる側に、酸素や湿気が入らないように防湿樹脂層Ａ、薬剤４や食品に触れる側に、薬剤や食品の湿気や酸素を、水蒸気及び酸素吸着性樹脂層Ｃが吸収できるように通気性樹脂層Ｂを成形加工時に同時に溶融し貼りあわせたことを特徴とする水蒸気及び水蒸気及び酸素吸着性容器。【００１７】通気性樹脂層Ｂの厚さは、防湿樹脂層Ａの厚さより薄くしたことを特徴とする水蒸気及び酸素吸着性容器。
【考案の効果】
【００１８】本考案の水蒸気及び酸素吸着性容器を用いると、内容物が乾燥剤に直接触れないので、医薬品や食品の場合に、乾燥剤や脱酸素剤の付着した内容物を経口したことが原因で知らず知らずのうちに健康が損なわれるという心配がなくなる。
【図面の簡単な説明】
【００１９】
【図１】本考案の水蒸気及び酸素吸着性容器の構成。
【図２】本考案のシリカ粉体２とベース材１の混合された水蒸気及び酸素吸着性樹脂層Ｃと防湿樹脂層Ａからなる二層容器の構成。
【図３】本考案のシリカ粉体２とベース材１を一括混合された水蒸気及び酸素吸着性樹脂層Ｃの左右に通気性樹脂層Ｂ、防湿樹脂層Ａを成形加工時に溶融し貼りつけた三層容器の構成。
【図４】本考案のシリカ粉体２と有機アミン３とベース材１を一括に混合された水蒸気及び酸素吸着性樹脂層Ｃと防湿樹脂層Ａからなる二層容器の構成。
【図５】本考案のシリカ粉体２と有機アミン３とベース材１を一括混合された水蒸気及び酸素吸着性樹脂層Ｃの左右に通気性樹脂層Ｂ、防湿樹脂層Ａを成形加工時に溶融し貼りつけた三層容器の構成。
【考案を実施するための形態】
【００２０】本考案の水蒸気及び酸素吸着性樹脂層Ｃは、ベース材１としての樹脂に、機能成分としての吸湿性、放湿性を発揮するシリカ粉体や酸化を防ぐ事のできる有機アミン紛体を含有させ、相溶し分散させたものである。ベース材としての樹脂には、ポリプロピレン樹脂やポリエチレン樹脂のほか、エチレン−αオレフィン共重合体樹脂、エチレン−環状オレフィン共重合体樹脂、プロピレン−エチレンブロック共重合体樹脂、ポリプロピレン−αオレフィン共重合体樹脂などのポリオレフィン系の樹脂のうちの一つ又は複数を用いる。
【００２１】図１は、本考案の水蒸気及び酸素吸着性容器の構成を示す。
水蒸気及び酸素吸着性樹脂層Ｃは、ポリプロピレン樹脂やポリエチレンなどのベース材１としての樹脂に、シリカ粉体２や有機アミン紛体３を含ませる。
【００２２】シリカ粉体２や有機アミン紛体３の含有率は、水蒸気及び酸素吸着性樹脂層Ｃの全体重量に対して、夫々、シリカ紛体２を３０％〜６０％、有機アミン紛体３を２５％〜４０％にするのが好ましい。
【００２３】図２と図４では、水蒸気及び酸素吸着性樹脂層Ｃの、片側に薬剤４がある場合を示す。
図２および図４では、本考案の水蒸気及び酸素吸着性樹脂層Ｃに、薬剤が触れる側とは別の側に、湿気や酸化を防ぐ防湿樹脂層Ａを貼りあわせて２層にする。
防湿樹脂層Ａは、例えば、ポリプロピレン樹脂やポリエチレン樹脂のほか、エチレン−αオレフィン共重合体樹脂、エチレン−環状オレフィン共重合体樹脂、プロピレン−エチレンブロック共重合体樹脂、ポリプロピレン−αオレフィン共重合体樹脂などのポリオレフィン系の樹脂のうちの一つ又は複数を用い、さらに防湿成分を含めてもよい。
【００２４】図３と図５では、本考案の水蒸気及び酸素吸着性樹脂層Ｃの対象物に接しない側に防湿樹脂層Ａ、対象物に接する側に通気性樹脂層Ｂを積層しはりあわせた容器である。
防湿樹脂層Ａは、湿気を吸収しないように厚めにし、通気性樹脂層Ｂは、薬剤４の湿気が、水蒸気及び酸素吸着性樹脂層Ｃに吸収されやすいように薄めにする。
通気性樹脂層Ｂの厚さは、防湿樹脂層Ａの厚さより薄めにする。
例えば、水蒸気及び酸素吸着性樹脂層Ｃが、エチレン−環状オレフィン共重合体樹脂の場合、防湿樹脂層Ａの厚さは、７０μｍ以上とし、通気性樹脂層Ｂの厚さは５μｍからとするのが好ましい。
通気性樹脂層Ｂは、例えば、エチレン−αオレフィン共重合体樹脂、エチレン−環状オレフィン共重合体樹脂等がある。
【００２５】  本考案の吸湿・吸放湿性容器には、有機アミン紛体３を含むので、消臭効果、防カビや防錆効果がでてくる。
【符号の説明】
【００２６】１    ベース材
２    シリカ粉体
３    有機アミン粉体
４    薬剤
Ａ    防湿樹脂層
Ｂ    通気性樹脂層
Ｃ    水蒸気及び酸素吸着性樹脂層
【図１】
0003190178.tif 000003
【図２】
0003190178.tif 000004
【図３】
0003190178.tif 000005
【図４】
0003190178.tif 000006
【図５】
0003190178.tif 000007
【手続補正書】
【提出日】平成25年11月21日(2013.11.21)
【手続補正１】
【補正対象書類名】実用新案登録請求の範囲
【補正対象項目名】全文
【補正方法】変更
【補正の内容】
【実用新案登録請求の範囲】
【請求項１】
ベース材（１）としての樹脂に、シリカ粉体（２）を含ませたことを特徴とする水蒸気及び酸素吸着性樹脂層（Ｃ）の全体重量に対して、シリカ粉体（２）を３０％〜６０％含ませたことを特徴とする水蒸気及び酸素吸着性容器。
【請求項２】
ベース材（１）としての樹脂に、有機アミン紛体（３）を含ませたことを特徴とする水蒸気及び酸素吸着性樹脂層（Ｃ）の全体重量に対して、有機アミン紛体（３）を２５％〜４０％を含ませたことを特徴とする請求項１記載の水蒸気及び酸素吸着性容器。
【請求項３】
前記、ベース材（１）としての樹脂に、シリカ粉体（２）と有機アミン紛体（３）を含ませたことを特徴とする水蒸気及び酸素吸着性樹脂層（Ｃ）の全体重量に対して、シリカ粉体（２）を３０％〜６０％、有機アミン紛体（３）を２５％〜４０％を含有させたことを特徴とする請求項１又は請求項２に記載の水蒸気及び酸素吸着性容器。
【請求項４】
前記の水蒸気及び酸素吸着性樹脂層（Ｃ）に、薬剤（４）に触れる側とは異なる側に、湿気が入らないように防湿樹脂層Ａを、成形時に同時に溶融しはりあわせたことを特徴とする請求項１から請求項３のいずれかによる水蒸気及び酸素吸着性容器。
【請求項５】
請求項１から請求項４のいずれかに記載の水蒸気及び酸素吸着性容器の薬剤（４）に触れる側とは異なる側に、湿気や酸素が入らないように防湿樹脂層（Ａ）、薬剤（４）に触れる側に、薬剤（４）の湿気を、水蒸気及び酸素吸着性樹脂層（Ｃ）が吸収できるように通気性樹脂層（Ｂ）を成形時に同時に溶融しはりあわせたことを特徴とする水蒸気及び酸素吸着性容器。
【請求項６】
通気性樹脂層（Ｂ）の厚さは、防湿樹脂層（Ａ）の厚さより薄くしたことを特徴とする請求項５に記載の水蒸気及び酸素吸着性容器。
【手続補正書】
【提出日】平成26年2月5日(2014.2.5)
【手続補正１】
【補正対象書類名】実用新案登録請求の範囲
【補正対象項目名】全文
【補正方法】変更
【補正の内容】
【実用新案登録請求の範囲】
【請求項１】
シリカ粉体（２）を含ませた水蒸気及び酸素吸着性樹脂層（Ｃ）からなるベース材（１）を備える水蒸気及び酸素吸着性容器であって、水蒸気及び酸素吸着性樹脂層（Ｃ）全体重量に対して、シリカ粉体（２）を３０％〜６０％含ませたことを特徴とする水蒸気及び酸素吸着性容器。
【請求項２】
シリカ粉体（２）及び有機アミン粉体（３）を含ませた水蒸気及び酸素吸着性樹脂層（Ｃ）からなるベース材（１）を備える水蒸気及び酸素吸着性容器であって、水蒸気及び酸素吸着性樹脂層（Ｃ）全体重量に対して、有機アミン粉体（３）を２５％〜４０％含ませたことを特徴とする水蒸気及び酸素吸着性容器。
【請求項３】
シリカ粉体（２）及び有機アミン粉体（３）を含ませた水蒸気及び酸素吸着性樹脂層（Ｃ）からなるベース材（１）を備える水蒸気及び酸素吸着性容器であって、水蒸気及び酸素吸着性樹脂層（Ｃ）全体重量に対して、シリカ粉体（２）を３０％〜６０％、有機アミン粉体（３）を２５％〜４０％含ませたことを特徴とする請求項１又は請求項２に記載の水蒸気及び酸素吸着性容器。
【請求項４】
水蒸気及び酸素吸着性樹脂層（Ｃ）に、薬剤（４）に触れる側とは異なる側に、湿気が入らないように防湿樹脂層（Ａ）を、成形時に同時に溶融しはりあわせたことを特徴とする請求項１から請求項３のいずれか一項に記載の水蒸気及び酸素吸着性容器。
【請求項５】
水蒸気及び酸素吸着性樹脂層（Ｃ）に、薬剤（４）に触れる側とは異なる側に、湿気が入らないように防湿樹脂層（Ａ）を、薬剤（４）に触れる側に、通気性樹脂層（Ｂ）を成形時に同時に溶融しはりあわせたことを特徴とする請求項１から請求項４のいずれか一項に記載の水蒸気及び酸素吸着性容器。
【請求項６】
通気性樹脂層（Ｂ）の厚さは、防湿樹脂層（Ａ）の厚さより薄くしたことを特徴とする請求項５に記載の水蒸気及び酸素吸着性容器。